(57)【要約】【課題】  利用者が目的とする設定ダイアログを少ない操作回数で簡単に呼び出すことが可能な情報処理装置を提供すること。【解決手段】  ＰＣは、リモートセットアッププログラムを異なる動作モードで起動するための専用アプリケーションを備える。これによりＰＣは、動作モードを指定可能なＧＵＩ構成の操作メニューを表示部に表示する。また、操作メニューを介し一の動作モードが選択されると、その動作モードを表す設定ＩＤを引数にしてリモートセットアッププログラムを起動する。このプログラムにおいてＰＣは、設定ＩＤを示したモード情報を複合機に送信する（Ｓ２３３，Ｓ２３７）。複合機は、受信した設定ＩＤに対応するダイアログを初期画面とするための情報をＰＣに送信する。また設定ＩＤが受信不可である場合には、デフォルト画面を初期画面とするための情報を送信する。ＰＣは、受信した初期画面情報に対応するダイアログを設定画面に表示する。【選択図】  図６
2005295128.tif 000002
【特許請求の範囲】
【請求項１】
外部の電子機器と通信可能に接続され、該電子機器に対して各種設定を行う情報処理装置であって、
複数の動作モードを有し、前記電子機器の設定時に用いられる設定画面を、前記動作モードに応じて、異なる形態で表示手段に表示させる表示制御手段と、
外因により作動すると、該外因の種類に応じて、前記表示制御手段が有する複数の前記動作モードの中から一の動作モードを選択し、該選択した動作モードで前記表示制御手段を作動させるモード選択手段と、
を備えることを特徴とする情報処理装置。
【請求項２】
外部の電子機器と通信可能に接続され、該電子機器に対して各種設定を行う情報処理装置であって、
複数の動作モードを有し、前記電子機器の設定時に用いられる設定画面を、前記動作モードに応じて、異なる形態で表示手段に表示させる表示制御手段と、
作動すると、前記表示制御手段が有する複数の前記動作モードの中から一の動作モードを選択し、該選択した動作モードで前記表示制御手段を作動させるモード選択手段と、
を備え、
前記モード選択手段は、
作動時に、外部から前記動作モードの指定情報が入力されたか否かを判断する判断手段、
を備え、前記判断手段により前記動作モードの指定情報が入力されたと判断されると、該指定情報が示す動作モードで、前記表示制御手段を作動させ、前記判断手段により前記動作モードの指定情報が入力されなかったと判断されると、予め定められたデフォルトの動作モードで、前記表示制御手段を作動させる構成にされていることを特徴とする情報処理装置。
【請求項３】
前記表示制御手段の作動時の前記動作モードを利用者が選択可能な選択画面を、前記表示手段に表示させ、該選択画面を通じて、一の動作モードが選択されると、前記モード選択手段を作動させると共に、選択された動作モードの指定情報を前記モード選択手段に入力する指定手段、
を備えることを特徴とする請求項２記載の情報処理装置。
【請求項４】
前記指定手段は、前記選択画面として、前記表示制御手段の前記各動作モードに対応するシンボルを配置した選択画面を、前記表示手段に表示させ、一のシンボルが前記選択画面を通じて選択されると、前記モード選択手段を作動させると共に、選択されたシンボルに対応する動作モードの指定情報を前記モード選択手段に入力することを特徴とする請求項３記載の情報処理装置。
【請求項５】
前記電子機器は、複数の機能を有する電子機器であり、
前記表示制御手段は、前記複数の動作モードとして、予め定められたデフォルトの設定画面を、前記表示手段に表示させる第一の動作モードと、前記デフォルトの設定画面に代えて、前記電子機器が有する複数の機能の内、特定機能の設定用に構成された設定画面を、前記表示手段に表示させる第二の動作モードと、を備えることを特徴とする請求項１〜請求項４のいずれかに記載の情報処理装置。
【請求項６】
前記電子機器は、前記複数の機能の一つとして、電話帳機能を有し、
前記表示制御手段は、前記第二の動作モードで作動した場合に、前記デフォルトの設定画面に代えて、前記電子機器が有する電話帳機能の設定用に構成された設定画面を、前記表示手段に表示可能に構成されていることを特徴とする請求項５記載の情報処理装置。
【請求項７】
請求項１〜請求項６のいずれかに記載の情報処理装置と、
前記情報処理装置と通信可能に接続された電子機器と、
を備えることを特徴とする機器設定システム。
【請求項８】
前記電子機器は、前記情報処理装置から前記表示制御手段の動作モードを表すモード情報が入力されると、該モード情報が表す動作モードで前記表示制御手段が動作するのに必要な当該機器の情報を、前記情報処理装置の表示制御手段に提供する構成にされており、
前記表示制御手段は、作動時の動作モードを表す前記モード情報を前記電子機器に入力することによって、前記電子機器から、作動時の動作モードで動作するのに必要な前記電子機器の情報を取得し、該取得情報に基づいて、作動時の動作モードに応じた形態の前記設定画面を、前記表示手段に表示させることを特徴とする請求項７記載の機器設定システム。
【請求項９】
前記情報処理装置のモード選択手段は、前記電子機器に対して、前記表示制御手段の作動を通知し、
前記表示制御手段は、前記複数の動作モードの内、デフォルトの動作モード以外の動作モードで作動した場合にのみ、作動時の動作モードを表す前記モード情報を前記電子機器に入力する構成にされており、
前記電子機器は、
前記情報処理装置のモード選択手段から、前記表示制御手段の作動の通知を受けると、前記情報処理装置の表示制御手段から、前記モード情報が入力されたか否かを判断する入力判断手段、
を備え、前記入力判断手段により前記情報処理装置の表示制御手段から前記モード情報が入力されたと判断されると、該モード情報が表す動作モードで前記表示制御手段が動作するのに必要な当該機器の情報を、前記情報処理装置の表示制御手段に提供し、前記入力判断手段により前記情報処理装置の表示制御手段から前記モード情報が入力されなかったと判断されると、前記デフォルトの動作モードで前記表示制御手段が動作するのに必要な当該機器の情報を、前記情報処理装置の表示制御手段に提供することを特徴とする請求項８記載の機器設定システム。
【請求項１０】
前記電子機器は、
前記入力判断手段により前記情報処理装置の表示制御手段から前記モード情報が入力されなかったと判断されると、当該機器の所定の設定項目が未設定であるか否かを判断する設定判別手段、
を備え、前記設定判別手段により当該機器の前記所定の設定項目が未設定であると判断されると、前記デフォルトの動作モードで前記表示制御手段が動作するのに必要な当該機器の情報に代えて、前記未設定の設定項目設定用に構成された設定画面を、前記情報処理装置の前記表示手段に表示させるための未設定項目情報を、前記表示制御手段に提供する構成にされており、
前記表示制御手段は、前記電子機器から前記未設定項目情報が入力されると、作動時の動作モードによる動作に代えて、前記未設定の設定項目設定用に構成された設定画面を、前記表示手段に表示させることを特徴とする請求項９記載の機器設定システム。
【請求項１１】
前記電子機器は、ファクシミリ機能を備えるディジタル複合機であり、
前記設定判別手段は、前記入力判断手段により前記情報処理装置の表示制御手段から前記モード情報が入力されなかったと判断されると、前記所定の設定項目として、ファクシミリ送信時には設定されていることが必須の設定項目が未設定であるか否かを判断する構成にされていることを特徴とする請求項１０記載の機器設定システム。
【請求項１２】
請求項１〜請求項１１のいずれかに記載の情報処理装置における前記表示制御手段及び前記モード選択手段としての機能をコンピュータに実現させるためのプログラム。
【請求項１３】
請求項３又は請求項４記載の情報処理装置における前記表示制御手段、前記モード選択手段、及び、前記指定手段としての機能をコンピュータに実現させるためのプログラム。
【発明の詳細な説明】
【技術分野】
【０００１】
本発明は、外部の電子機器に各種設定を施すための情報処理装置と、その情報処理装置に用いられるプログラムと、機器設定システムとに関する。
【背景技術】
【０００２】
従来、パーソナルコンピュータ（ＰＣ）などの情報処理装置によって遠隔操作で各種設定を施すことが可能な電子機器としては、短縮ダイヤル機能を備えるファクシミリ装置などが知られている（例えば、特許文献１参照）。
【０００３】
ファクシミリ装置の短縮ダイヤル機能を使用する際には、ファクシミリ装置が備える電話帳に、ファクシミリ送信先の電話番号や氏名等を登録する必要があるが、ファクシミリ装置には、コストや装置サイズの関係上、電話帳の表示には不十分な表示面積の表示装置（液晶ディスプレイ等）が搭載されることが多い。また、操作パネルに設けられた入力キーの数も限られているため、一つのキーに複数の文字が割り当てられることが多く、文字入力も面倒である。このため、従来では、ファクシミリ装置の電話帳を、情報処理装置から遠隔操作可能にして、電話番号等の登録に係る操作性を高めている。
【０００４】
また、近年では、ファクシミリ機能の他、コピー機能、スキャナ機能、パーソナルコンピュータが取り扱うデータファイルの内容を、直接ファクシミリデータにして送信可能なＰＣ−ＦＡＸ機能、などを有するディジタル複合機が普及しつつある。ディジタル複合機は、多機能であることから、各機能について設定すべき内容が多い。このため、ディジタル複合機についても、情報処理装置から遠隔操作で各種設定を行えるようにすることが多い。
【０００５】
また、設定時には、グラフィカル・ユーザ・インタフェース（ＧＵＩ）構成の設定画面を、情報処理装置が備える表示装置に表示させるのが一般的であるが、ＧＵＩ構成の設定画面としては、ウィンドウ内に複数のダイアログを切り替えて表示するタブ方式の設定画面が知られている。
【０００６】
周知のように、タブ方式の設定画面は、タブを表示するための第一の領域と、タブに対応するダイアログ（タブシート）を表示するための第二の領域とを備える。この方式の設定画面では、ポインティングデバイス等による第一の領域に表示されたタブの選択指示に基づいて、選択されたタブに対応するダイアログを第二の領域に表示する。このため、タブ方式の設定画面では、狭い表示領域で、多くのダイアログを表示することができる。
【０００７】
尚、ウィンドウ内の第一の領域に表示対象のダイアログの一覧を表示し、第二の領域に、ポインティングデバイス等による選択指示に基づいた一のダイアログを表示するＧＵＩとしては、上述のタブ方式のもの以外に、第一の領域に、表示対象のシンボル（アイコン）をツリー表示し、ポインティングデバイスによって一のシンボルがクリックされると、第二の領域に、クリックされたシンボルに対応するダイアログを表示するものが知られている。
【特許文献１】特開２００３−２１６３８０号公報
【発明の開示】
【発明が解決しようとする課題】
【０００８】
しかしながら、上述したタブ方式のように、設定画面を、複数のダイアログを切り替えて表示するＧＵＩ構成とすると、従来では、設定画面の起動時において、第二の領域に利用者が目的とするダイアログとは異なるダイアログが表示される可能性があった。即ち、従来の設定画面では、起動時において、第二の領域に予め定められたデフォルトの画面が表示されるため、利用者が目的とするダイアログを、第二の領域に表示させるためには、設定画面を起動した後、第一の領域において、目的とする対象のタブやシンボルを、ポインティングデバイス等を用いてクリックし、第二の領域に、必要なダイアログを呼び出さなければならなかった。
【０００９】
本発明は、こうした問題に鑑みなされたものであり、電子機器を設定する際、利用者が目的とするダイアログを少ない操作回数で呼び出すことが可能な情報処理装置と、それに用いるプログラムと、機器設定システムと、を提供することを目的とする。
【課題を解決するための手段】
【００１０】
かかる目的を達成するためになされた請求項１記載の発明は、外部の電子機器と通信可能に接続され、その電子機器に対して各種設定を行う情報処理装置であって、複数の動作モードを有する表示制御手段と、モード選択手段とを備える。表示制御手段は、電子機器の設定時に用いられる設定画面を、動作モードに応じて異なる形態で表示手段に表示させる。モード選択手段は、外因により作動すると、その作動の契機となった外因の種類に応じて、表示制御手段が有する複数の動作モードの中から一の動作モードを選択し、選択した動作モードで表示制御手段を作動させる。
【００１１】
情報処理装置が、グラフィカル・ユーザ・インタフェース（ＧＵＩ）を備えるオペレーティングシステム（ＯＳ）で運営されるコンピュータである場合、上記モード選択手段の作動は、例えば、上記オペレーティングシステムや、そのオペレーティングシステム上で稼動するアプリケーションプログラムなどにより制御される。
【００１２】
この情報処理装置によれば、モード選択手段が起動する契機となる原因を形成する外因形成手段（例えば、アプリケーションプログラム）の選択により、異なる形態の設定画面を表示手段（モニタ等）に表示させることができる。従って、利用者は、目的とする設定を行うために必要な画面（ダイアログ）を、外因形成手段の選択により簡単に呼び出すことができ、従来のように、設定画面内で表示するダイアログを切り替えるために、タブ等を操作をする必要がない。よって、本発明によれば、利用者が目的とする設定画面（ダイアログ）を少ない操作回数で簡単に呼び出すことができる。
【００１３】
また、請求項２記載の発明は、外部の電子機器と通信可能に接続され、その電子機器に対して各種設定を行う情報処理装置であって、複数の動作モードを有する上記表示制御手段と、作動すると表示制御手段が有する複数の動作モードの中から一の動作モードを選択し、選択した動作モードで表示制御手段を作動させるモード選択手段とを備えるものである。
【００１４】
この情報処理装置におけるモード選択手段は、作動時に、外部から動作モードの指定情報が入力されたか否かを判断する判断手段を備え、その判断手段により動作モードの指定情報が入力されたと判断されると、その指定情報が示す動作モードで、表示制御手段を作動させる。また、判断手段により動作モードの指定情報が入力されなかったと判断されると、予め定められたデフォルトの動作モードで、表示制御手段を作動させる。
【００１５】
このように構成された請求項２記載の情報処理装置によれば、動作モードの指定により、所望の形態の設定画面を表示手段（モニタ等）に表示させることができる。従って、利用者は、目的とするダイアログを呼び出すために設定画面内で表示するダイアログを切り替える操作をする必要がなく、目的とする画面（ダイアログ）を少ない操作回数で簡単に呼び出すことができる。
【００１６】
尚、請求項１，２記載の情報処理装置が取り扱う設定画面としては、複数の表示欄を備え、一の表示欄（以下、「ダイアログ表示欄」と称する。）に表示可能なダイアログのリストを、他の表示欄（以下、「リスト表示欄」と称する。）に表示し、そのリストの中から一のダイアログが選択されると、ダイアログ表示欄に選択されたダイアログを表示するものが挙げられる。また、このような構成の設定画面を用いる場合には、表示制御手段に、動作モードに応じた初期画面（ダイアログ等）を、ダイアログ表示欄に表示させて、設定画面の表示形態を動作モード毎に変更すればよい。
【００１７】
請求項３記載の情報処理装置は、表示制御手段の作動時の動作モードを利用者が選択可能な選択画面を、表示手段に表示させ、その選択画面を通じて、一の動作モードが選択されると、モード選択手段を作動させると共に、選択された動作モードの指定情報をモード選択手段に入力する指定手段、を備えるものである。この情報処理装置を用いれば、利用者は、選択画面を通じて、所望の動作モードを選択する程度で、簡単に表示手段（モニタ等）に、目的とする画面（ダイアログ）を呼び出すことができる。従って、本発明によれば、電子機器の設定に係る操作性が格段に向上する。
【００１８】
その他、請求項４記載の情報処理装置は、指定手段が、上記選択画面として、表示制御手段の各動作モードに対応するシンボル（アイコン）を配置した選択画面を、表示手段に表示させる構成にされたものである。この情報処理装置における指定手段は、一のシンボルが選択画面を通じて選択されると、モード選択手段を作動させると共に、選択されたシンボルに対応する動作モードの指定情報をモード選択手段に入力する。この発明によれば、利用者は、選択画面でシンボルをポインティングデバイス等の操作手段を用いて選択する程度で、設定画面の形態（ダイアログ表示欄に初期表示するダイアログの種類等）を変更することができ、大変便利である。
【００１９】
また、請求項５記載の情報処理装置は、表示制御手段が、予め定められたデフォルトの設定画面（例えば、ダイアログ表示欄にデフォルト画像が形成された設定画面）を表示手段に表示させる第一の動作モードと、そのデフォルトの設定画面に代えて、電子機器が有する複数の機能の内、特定機能の設定用に構成された設定画面（例えば、ダイアログ表示欄に特定機能用の設定ダイアログが形成された設定画面）を表示手段に表示させる第二の動作モードと、を備える構成にされたものである。
【００２０】
この情報処理装置によれば、表示制御手段の作動時に特定機能設定用の画面を表示手段に表示させることができるので、電子機器の機能のうち、特に設定頻度の高い機能についての設定画面を表示手段に表示させるように第二の動作モードを構成すると、電子機器の設定に係る操作性が格段に向上する。
【００２１】
尚、電子機器がファクシミリ機能や音声通信機能を有する通信機器である場合には、電子機器に、通信先を表す電話番号や通信先の識別情報（氏名等）などが関連付けられてなる電子データ形式の電話帳が記憶されていることが多い。そして、この種の電子機器の場合には、電話帳に係る設定頻度が他の機能に係る設定頻度と比較して非常に高い。このことから、電子機器が電話帳機能を有するものである場合には、表示制御手段を請求項６記載のように構成するとよい。
【００２２】
請求項６記載の情報処理装置における表示制御手段は、第二の動作モードで作動した場合に、デフォルトの設定画面に代えて、電子機器が有する電話帳機能の設定用に構成された設定画面を、表示手段に表示させる。この情報処理装置によれば、簡単に電話帳機能の設定に係る画面（ダイアログ）を呼び出すことができるので、電話帳設定に係る操作性が格段に向上する。
【００２３】
その他、請求項７記載の発明は、電子機器に対して各種設定を行うための機器設定システムであって、請求項１〜請求項６のいずれかに記載の情報処理装置と、その情報処理装置と通信可能に接続された電子機器と、を備えるものである。この発明によれば、上述の理由から、電子機器の設定に係る操作性が格段に向上する。
【００２４】
また、請求項８記載の機器設定システムは、電子機器が、情報処理装置から表示制御手段の動作モードを表すモード情報が入力されると、そのモード情報が表す動作モードで表示制御手段が動作するのに必要な当該機器の情報を、情報処理装置の表示制御手段に提供する構成にされたものである。この機器設定システムにおける情報処理装置の表示制御手段は、作動時の動作モードを表すモード情報を電子機器に入力することによって、電子機器から、作動時の動作モードで動作するのに必要な電子機器の情報を取得し、その取得情報に基づいて、作動時の動作モードに応じた形態の設定画面を、表示手段に表示させる。
【００２５】
請求項８記載の機器設定システムによれば、モード情報を情報処理装置から電子機器に送信するので、設定画面を表示するのに必要な情報が電子機器側で管理されている場合でも、表示制御手段を各動作モードで動作させて、動作モードに応じた形態の設定画面（初期画面）を表示手段に表示させることができる。従って、この発明によれば、設定画面を表示するのに必要な情報が電子機器側で管理されている機器設定システムにおいても、利用者が目的とする画面（ダイアログ）を簡単に表示手段に表示させることができる。
【００２６】
その他、請求項９記載の機器設定システムは、情報処理装置のモード選択手段が、電子機器に対して、表示制御手段の作動を通知する構成にされ、表示制御手段が、デフォルトの動作モード以外の動作モードで作動した場合にのみ、作動時の動作モードを表すモード情報を電子機器に入力する構成にされたものである。
【００２７】
この機器設定システムにおける電子機器は、情報処理装置のモード選択手段から表示制御手段の作動の通知を受けると、情報処理装置の表示制御手段からモード情報が入力されたか否かを判断する入力判断手段、を備えており、入力判断手段によりモード情報が入力されたと判断されると、そのモード情報が表す動作モードで表示制御手段が動作するのに必要な当該機器の情報を、情報処理装置の表示制御手段に提供し、入力判断手段によりモード情報が入力されなかったと判断されると、デフォルトの動作モードで表示制御手段が動作するのに必要な当該機器の情報を、情報処理装置の表示制御手段に提供する。
【００２８】
この機器設定システムによれば、表示制御手段がデフォルトの動作モードで動作する場合には、モード情報を情報処理装置から電子機器に送信しないため、情報処理装置−電子機器間の通信量を抑えることができる。
【００２９】
その他、請求項１０記載の機器設定システムは、電子機器が、入力判断手段によりモード情報が入力されなかったと判断されると、設定判別手段により、当該機器の所定の設定項目が未設定であるか否かを判断し、設定判別手段により当該機器の上記所定の設定項目が未設定であると判断されると、デフォルトの動作モードで表示制御手段が動作するのに必要な当該機器の情報に代えて、上記未設定の設定項目設定用に構成された設定画面を、情報処理装置の表示手段に表示させるための未設定項目情報を、表示制御手段に提供する構成にされたものである。
【００３０】
この機器設定システムにおける情報処理装置の表示制御手段は、電子機器から上記未設定項目情報が入力されると、作動時の動作モードによる動作に代えて、上記未設定の設定項目設定用に構成された設定画面を、表示手段に表示させる。即ち、この機器設定システムでは、デフォルトの動作モードで表示制御手段が起動した場合、優先的に、特定の未設定項目が設定画面に表示される。よって、この発明によれば、利用者に簡単に当該機器に関する設定を行わせることができる。
【００３１】
また、請求項１１記載の機器設定システムは、電子機器が、ファクシミリ機能を備えるディジタル複合機として構成され、入力判断手段によりモード情報が入力されなかったと判断されると、設定判別手段にて、ファクシミリ送信時には設定されていることが必須の設定項目が未設定であるか否かを判断する構成にされたものである。この電子機器は、ファクシミリ送信時には設定されていることが必須の設定項目が未設定であると判断された場合には、その設定項目設定用に構成された設定画面を情報処理装置の表示手段に表示させるための未設定項目情報を、表示制御手段に提供する。
【００３２】
この機器設定システムでは、デフォルトの動作モードで表示制御手段が起動された場合に、優先的に、ファクシミリ送信時には設定されていることが必須の項目を設定するための設定画面を表示手段に表示させるので、利用者に簡単に当該機器のファクシミリ送信に係る設定を行わせて、そのファクシミリ送信機能を利用させることができる。
【００３３】
また、請求項１２記載のプログラムは、コンピュータに、請求項１〜請求項１１のいずれかに記載の情報処理装置における上記表示制御手段及びモード選択手段としての機能を実現させるためのプログラムである。このプログラムを、コンピュータに実行させれば、請求項１〜請求項１１記載の情報処理装置を構成することができる。
【００３４】
その他、請求項１３記載のプログラムは、請求項３又は請求項４記載の情報処理装置における表示制御手段、モード選択手段、及び、指定手段としての機能をコンピュータに実現させるためのプログラムである。このプログラムを、コンピュータに実行させれば、請求項３，４記載の情報処理装置を構成することができる。尚、これらのプログラムは、ＣＤ−ＲＯＭ、ＤＶＤ、ハードディスク、半導体製メモリなどの記録媒体に格納して利用者に提供されてもよい。
【発明を実施するための最良の形態】
【００３５】
以下に本発明の実施例について、図面とともに説明する。
図１は、本発明が適用された機器設定システム１の構成を表す説明図である。図１に示すように、本実施例の機器設定システム１は、被設定対象の電子機器であるディジタル複合機（以下、単に「複合機」と称する。）１０と、この複合機１０と通信可能に接続され、複合機１０に対して各種設定を施すパーソナルコンピュータ（以下、「ＰＣ」と称する。）４０と、からなる。
【００３６】
本実施例の複合機１０は、当該装置各部を統括制御するＣＰＵ１１と、各種プログラムを記憶するＲＯＭ１３と、ＣＰＵ１１によるプログラム実行時に作業領域として使用されるＲＡＭ１５と、各種設定情報を記憶するＥＥＰＲＯＭ１７と、利用者が操作可能な操作キーの一群と液晶ディスプレイとからなる操作パネル１９と、ＰＣインタフェース（Ｉ／Ｆ）２１と、スキャナ部２３と、記録部２５と、モデム２７と、公衆電話回線網（ＰＳＴＮ）に接続されたネットワークコントロールユニット（ＮＣＵ）２９と、ハンドセット（Ｈ／Ｓ）３１と、ＬＡＮ（ローカルエリアネットワーク）に接続されたＬＡＮインタフェース（Ｉ／Ｆ）３３と、を備える。ＰＣインタフェース２１としては、例えばＵＳＢ（Universal Serial Bus）インタフェースを挙げることができ、複合機１０は、このＰＣインタフェース２１を介して、ＰＣ４０と通信可能に接続される。
【００３７】
ＣＰＵ１１は、ＲＯＭ１３に格納された各種プログラムを実行することによって、操作パネル１９やＰＣ４０、ＬＡＮ端末等から入力される指令に応じた処理を行う。具体的に、本実施例のＣＰＵ１１は、ＲＯＭ１３に格納されたプログラムを実行することによって、スキャナ部２３、記録部２５、モデム２７、ＮＣＵ２９、ＬＡＮインタフェース３３などを制御し、周知のファクシミリ機能や、電話（音声通信）機能、コピー機能、スキャナ機能、ＰＣ−ＦＡＸ機能などを実現する。
【００３８】
尚、ここでいうＰＣ−ＦＡＸ機能とは、ＰＣインタフェース２１から入力されるデータファイルを、電子メールに格納して宛先の通信端末に送信したり、そのデータファイルをファクシミリデータに変換して、宛先のファクシミリ装置に送信する機能のことである。
【００３９】
また、複合機１０のＥＥＰＲＯＭ１７には、当該複合機１０の動作を規定する各種パラメータが記述された複合機登録情報ＤＤが格納されている。具体的に、このＥＥＰＲＯＭ１７には、複合機登録情報ＤＤとして、基本設定情報ＤＡＴ１、ＬＡＮ設定情報ＤＡＴ２、ＦＡＸ設定情報ＤＡＴ３、短縮ダイヤル設定情報ＤＡＴ４などが格納されている。
【００４０】
尚、ここでいう基本設定情報ＤＡＴ１とは、ファクシミリ送信時に必要なステーションＩＤを含む当該複合機１０において最優先で設定されるべき基本パラメータが記述された設定情報のことである。また、ＬＡＮ設定情報ＤＡＴ２とは、ＬＡＮやインターネット内の通信端末とデータ通信（例えば、ＴＣＰ／ＩＰプロトコルに基づいたデータ通信）を行うために必要な設定情報のことである。また、ＦＡＸ設定情報ＤＡＴ３とは、ＦＡＸ送受信時の動作を規定する各種パラメータが記述された設定情報のことである。その他、短縮ダイヤル設定情報ＤＡＴ４とは、当該複合機１０が備える短縮ダイヤル機能に関する設定情報であり、通信先の電話番号を表す電話番号情報と、通信先の氏名等を示す識別情報と、短縮ダイヤル番号を示した短縮番号情報と、が関連付けられてなるものである。このダイヤル設定情報ＤＡＴ４は所謂電話帳として機能する。
【００４１】
図２は、各設定情報ＤＡＴ１〜ＤＡＴ４の構成を表す説明図である。複合機登録情報ＤＤを構成する設定情報ＤＡＴ１〜ＤＡＴ４は、一つ又は複数のパラメータから構成されており、各パラメータには、固有のファンクションＩＤが付されている。このファンクションＩＤは、グループＩＤと固有ＩＤとの組み合わせで構成されている。各設定情報ＤＡＴ１〜ＤＡＴ４には、夫々異なる一のグループＩＤが割り当てられており、これによって各パラメータは、設定情報ＤＡＴ１〜ＤＡＴ４毎にグループ化されている。
【００４２】
また、スキャナ部２３は、イメージセンサを用いて、原稿から光学的に画像を読み取り、その画像を表すイメージデータを生成するものである。その他、記録部２５は、スキャナ部２３が生成したイメージデータや、外部のファクシミリ装置から送信されてきたファクシミリデータに基づく画像を、記録紙に形成するものである。この記録部２５は、周知のインクジェットプリンタや、レーザプリンタなどと同様に構成されている。
【００４３】
また、モデム２７は、ＮＣＵ２９を介して外部のファクシミリ装置との間でファクシミリデータの送受信を行うための復変調装置である。その他、ＮＣＵ２９は、公衆電話回線網（ＰＳＴＮ）に接続された他の通信端末を呼び出す際に必要なダイヤル信号の送出や、回線保持などについての制御を行うものである。また、ハンドセット３１は、マイクロフォン及びスピーカを備え、利用者の音声を集音し、その音声信号をＮＣＵ２９を介して接続先の電話機に送出したり、接続先の電話機から受信した音声信号を再生する構成にされている。
【００４４】
その他、ＬＡＮインタフェース３３は、ローカルエリアネットワーク（ＬＡＮ）を介してインターネットに接続可能に構成されたものであり、ＣＰＵ１１からの指示に基づき、ＬＡＮやインターネット内の端末と、データ通信を行う。
【００４５】
一方、ＰＣ４０は、各種演算処理を行うＣＰＵ４１と、プログラム等が格納されたＲＯＭ４３と、ＣＰＵ４１によるプログラム実行時に作業領域として使用されるＲＡＭ４５と、ハードディスクドライブ（ＨＤＤ）４７と、ＣＤＲＯＭドライブ４９と、複合機１０のＰＣインタフェース２１に接続されるインタフェース（Ｉ／Ｆ）５１と、キーボードやポインティングデバイスなどから構成される操作部５３と、液晶ディスプレイ等からなる表示部５５と、を備える。インタフェース５１は、例えばＵＳＢインタフェースとして構成され、ＰＣ４０は、このインタフェース５１を介して、複合機１０と通信可能に接続される。
【００４６】
尚、本実施例のＰＣ４０は、グラフィカル・ユーザ・インタフェース（ＧＵＩ）を備えるオペレーティングシステム（例えばＷｉｎｄｏｗｓ（登録商標））によって運営されており、ＣＰＵ４１は、オペレーティングシステム上で各種アプリケーションを実行する。
【００４７】
ハードディスクドライブ４７には、当該複合機１０を遠隔操作するための専用アプリケーションＰｒ１と、当該複合機１０に対して各種設定を施すためのリモートセットアッププログラムＰｒ２とがインストールされており、ＣＰＵ４１は、操作部５３からの指令に応じて、適宜上記専用アプリケーションＰｒ１や、リモートセットアッププログラムＰｒ２を実行し、その専用アプリゲーションＰｒ１又はリモートセットアッププログラムＰｒ２に基づく処理を実行する。
【００４８】
専用アプリケーションＰｒ１は、後述する遠隔操作処理が記述されたプログラムであり、表示部５５に、図５に示す構成の操作メニューＷＮ１を表示させるためのものである。また、リモートセットアッププログラムＰｒ２は、複合機１０から、複合機登録情報ＤＤを取得し、設定画面ＷＮ２のリスト表示欄（左欄）Ｒ１に、設定ダイアログのリストをツリー表示し、設定画面ＷＮ２のダイアログ表示欄（右欄）Ｒ２に、選択された一の設定ダイアログを表示するものである（図７参照）。
【００４９】
図３は、本実施例のＰＣ４０における専用アプリケーションＰｒ１及びリモートセットアッププログラムＰｒ２の起動方法に関する説明図である。本実施例のＰＣ４０において、リモートセットアッププログラムＰｒ２は、二通りの方法で起動される。
【００５０】
即ち、リモートセットアッププログラムＰｒ２は、オペレーティングシステムにより表示部５５に表示されるＧＵＩ構成の基本操作画面（以下、「デスクトップ」と称する。）、又は、上記専用アプリケーションＰｒ１から呼び出されて起動する。尚、上記専用アプリケーションＰｒ１は、リモートセットアッププログラムＰｒ２を起動する際、必要に応じて、リモートセットアッププログラムＰｒ２の動作モードを指定するためのコードが示された設定ＩＤを引数に設定する。リモートセットアッププログラムＰｒ２は、設定ＩＤが引数に設定されている場合、その設定ＩＤに応じた動作モードで動作する。
【００５１】
図３（ａ）は、デスクトップに表示されたリモートセットアッププログラムＰｒ２に対応するシンボル（所謂アイコン）が、ポインティングデバイスを介してクリックされることにより、リモートセットアッププログラムが起動する場合の態様を示す説明図であり、図３（ｂ）は、テスクトップに表示された専用アプリケーションＰｒ１に対応するシンボル（アイコン）がポインティングデバイスを介してクリックされることにより、専用アプリケーションＰｒ１が起動し、その専用アプリケーションＰｒ１からの指示を受けて、リモートセットアッププログラムＰｒ２が起動する場合の態様を示す説明図である。
【００５２】
また、図４は、ＣＰＵ４１が専用アプリケーションＰｒ１で実現する遠隔操作処理を表すフローチャートである。ＣＰＵ４１は、遠隔操作処理を実行すると、まず初めに図５に示す構成の操作メニューＷＮ１を表示部５５に表示させる（Ｓ１１０）。
【００５３】
操作メニューＷＮ１は、複合機１０が有するスキャナ機能を遠隔操作で利用するためのダイアログを操作メニューＷＮ１の右欄に表示するための「ＳＣＡＮ」タブＴＢ１と、複合機１０が有するコピー機能を遠隔操作で利用するためのダイアログを操作メニューＷＮ１の右欄に表示するための「ＣＯＰＹ」タブＴＢ２と、複合機１０が有するＰＣ−ＦＡＸ機能を遠隔操作で利用するためのダイアログを操作メニューＷＮ１の右欄に表示するための「ＰＣ−ＦＡＸ」タブＴＢ３と、リモートセットアッププログラムＰｒ２を起動するためのダイアログＤＬ１を操作メニューＷＮ１の右欄に表示するための「ＤＥＶＩＣＥ  ＳＥＴＴＩＮＧ」タブＴＢ４と、を操作メニューＷＮ１の左欄に備える。各ダイアログは、それに対応する上記タブＴＢ１〜ＴＢ４がポインティングデバイスを介してクリックされると、操作メニューＷＮ１の右欄に表示される。
【００５４】
図５に示すように、「ＤＥＶＩＣＥ  ＳＥＴＴＩＮＧ」タブＴＢ４に対応するダイアログＤＬ１は、リモートセットアッププログラムＰｒ２を、デフォルトの初期画面（デフォルト画面ＤＦ）で起動するためのリモートセットアップ通常起動シンボルＳＢ１と、短縮ダイヤル設定ダイアログＤＬ２を初期画面に指定してリモートセットアッププログラムＰｒ２を起動するための短縮ダイヤル設定シンボルＳＢ２と、ＬＡＮ設定ダイアログＤＬ３を初期画面に指定してリモートセットアッププログラムＰｒ２を起動するためのＬＡＮ設定シンボルＳＢ３と、を備える。
【００５５】
このような構成の操作メニューＷＮ１を表示部５５に表示させた後、ＣＰＵ４１は、操作メニューＷＮ１の右欄に表示されているシンボル（右欄にダイアログＤＬ１が表示されている場合にはシンボルＳＢ１〜ＳＢ３）又は左欄に表示されているタブＴＢ１〜ＴＢ４がクリックされたか否か判断し（Ｓ１２０）、クリックされていないと判断すると（Ｓ１２０でＮｏ）、操作メニューＷＮ１の終了指示が操作部５３を介して入力されているか否か判断し（Ｓ１３０）、終了指示が入力されていないと判断すると（Ｓ１３０でＮｏ）、シンボル又はタブＴＢ１〜ＴＢ４がクリックされるまで待機する。また、終了指示が操作部５３を介して入力されたと判断すると（Ｓ１３０でＹｅｓ）、当該遠隔操作処理を終了する。
【００５６】
ＣＰＵ４１は、Ｓ１２０にてシンボル又はタブＴＢ１〜ＴＢ４がクリックされたと判断すると、クリックされたものが短縮ダイヤル設定シンボルＳＢ２であるか否か判断し（Ｓ１４０）、短縮ダイヤル設定シンボルＳＢ２であると判断すると（Ｓ１４０でＹｅｓ）、設定ＩＤとして、短縮ダイヤル設定シンボルＳＢ２に対応するコード（以下、「短縮ダイヤル設定ＩＤ」と称する。）を引数に設定して、リモートセットアッププログラムＰｒ２を起動する（Ｓ１４５）。Ｓ１４５の処理を終えると、ＣＰＵ４１は、Ｓ１２０に移行する。
【００５７】
一方、クリックされたものが短縮ダイヤル設定シンボルＳＢ２ではないと判断すると（Ｓ１４０でＮｏ）、ＣＰＵ４１は、クリックされたものがリモートセットアップ通常起動シンボルＳＢ１であるか否か判断し（Ｓ１５０）、リモートセットアップ通常起動シンボルＳＢ１であると判断すると（Ｓ１５０でＹｅｓ）、設定ＩＤを引数に設定することなく、リモートセットアッププログラムＰｒ２を起動する（Ｓ１５５）。Ｓ１５５の処理を終えると、ＣＰＵ４１は、Ｓ１２０に移行する。
【００５８】
また、Ｓ１５０において、クリックされたものがリモートセットアップ通常起動シンボルＳＢ１ではないと判断すると（Ｓ１５０でＮｏ）、ＣＰＵ４１は、クリックされたものがＬＡＮ設定シンボルＳＢ３であるか否か判断し（Ｓ１６０）、ＬＡＮ設定シンボルＳＢ３であると判断すると（Ｓ１６０でＹｅｓ）、設定ＩＤとして、ＬＡＮ設定シンボルＳＢ３に対応するコード（以下、「ＬＡＮ設定ＩＤ」と称する。）を引数に設定して、リモートセットアッププログラムＰｒ２を起動する（Ｓ１６５）。
【００５９】
一方、ＣＰＵ４１は、クリックされたものがＬＡＮ設定シンボルＳＢ３ではないと判断すると（Ｓ１６０でＮｏ）、クリックされた対象（シンボル又はタブ）に対応する処理を実行する（Ｓ１７０）。例えば、タブＴＢ１〜ＴＢ４のいずれかがクリックされた場合には、クリックされたタブに対応するダイアログを、操作メニューＷＮ１の右欄に表示する。Ｓ１６５又はＳ１７０での処理を終えると、ＣＰＵ４１は、Ｓ１２０に移行する。
【００６０】
図６は、ＣＰＵ４１が、リモートセットアッププログラムＰｒ２を実行することによって実現するリモートセットアップ処理を表すフローチャートである。このリモートセットアップ処理は、Ｓ１４５，Ｓ１５５，Ｓ１６５でリモートセットアッププログラムＰｒ２が起動された場合、又は、リモートセットアッププログラムＰｒ２がデスクトップからポインティングデバイス等を介して起動された場合に、実行される。
【００６１】
リモートセットアップ処理を実行すると、ＣＰＵ４１は、インタフェース５１を介して複合機１０に向け、通信の開始を指示する通信開始信号を送出する（Ｓ２１０）。その後、設定ＩＤが引数に設定されているか否か判断し（Ｓ２２０）、設定ＩＤが引数に設定されていると判断すると（Ｓ２２０でＹｅｓ）、引数に設定された設定ＩＤを判別する（Ｓ２３０）。そして、設定ＩＤが、短縮ダイヤル設定ＩＤであると判断すると、その短縮ダイヤル設定ＩＤを格納したモード情報を複合機１０にインタフェース５１を介して送信する（Ｓ２３３）。一方、設定ＩＤが、ＬＡＮ設定ＩＤであると判断すると、そのＬＡＮ設定ＩＤを格納したモード情報を複合機１０にインタフェース５１を介して送信する（Ｓ２３７）。
【００６２】
Ｓ２３３又はＳ２３７での処理を終えるか、Ｓ２２０でＮｏと判断すると、ＣＰＵ４１は、初期画面として表示すべきダイアログのＩＤが示された初期画面情報を複合機１０から取得する（Ｓ２４０）。尚、ここで複合機１０から取得する初期画面情報には、設定画面ＷＮ２のダイアログ表示欄Ｒ２に初期画面として表示すべきダイアログのＩＤとして、通常、上述の複合機登録情報ＤＤで取り扱われているグループＩＤが記述されている。ここでダイアログのＩＤとして、グループＩＤを用いるのは、本実施例のリモートセットアッププログラムＰｒ２が、グループＩＤに属するパラメータの全てを一つのダイアログにまとめて表示する構成にされているためである。
【００６３】
Ｓ２４０での処理を終えると、ＣＰＵ４１は、複合機１０からＥＥＰＲＯＭ１７に格納されている複合機登録情報ＤＤを受信し（Ｓ２５０）、設定画面ＷＮ２を構成するウィンドウの左欄（リスト表示欄Ｒ１）に、右欄（ダイアログ表示欄Ｒ２）に表示可能な設定ダイアログのリストをツリー表示する（Ｓ２６０）。また、初期画面情報に記述されたＩＤが、設定ダイアログに対応するグループＩＤではなくデフォルトの画面を指定するＩＤであるか否か判断し（Ｓ２６３）、デフォルトの画面を指定するＩＤであると判断すると（Ｓ２６３でＹｅｓ）、ウィンドウの右欄（ダイアログ表示欄Ｒ２）に、空情報のデフォルト画面ＤＦを表示して、設定画面ＷＮ２を完成させる（Ｓ２６５）。尚、図７（ａ）は、Ｓ２６５で表示部５５に表示される設定画面ＷＮ２の構成を示した説明図である。
【００６４】
一方、ＣＰＵ４１は、Ｓ２６３において、初期画面情報に記述されたＩＤが設定ダイアログに対応するグループＩＤであると判断すると（Ｓ２６３でＮｏ）、初期画面情報に記述されたグループＩＤに対応する設定ダイアログを、ウィンドウの右欄（ダイアログ表示欄Ｒ２）に表示して、設定画面ＷＮ２を完成させる（Ｓ２６７）。
【００６５】
例えば、短縮ダイヤル設定情報ＤＡＴ４に割り当てられたグループＩＤが初期画面情報に記述されている場合には、短縮ダイヤルに関する電話帳構成の設定ダイアログＤＬ２を、ダイアログ表示欄Ｒ２に表示して、設定画面を完成させる（Ｓ２６７）。図７（ｂ）は、短縮ダイヤル設定情報ＤＡＴ４に割り当てられたグループＩＤが初期画面情報に記述されている場合に、Ｓ２６７で表示部５５に表示される設定画面ＷＮ２の構成を示した説明図である。
【００６６】
また、ＬＡＮ設定情報ＤＡＴ２に割り当てられたグループＩＤが初期画面情報に記述されている場合には、ＴＣＰ／ＩＰに関する設定項目が配列された設定ダイアログＤＬ３を、ダイアログ表示欄Ｒ２に表示して、設定画面ＷＮ２を完成させる（Ｓ２６７）。図８（ａ）は、ＬＡＮ設定情報ＤＡＴ２に割り当てられたグループＩＤが初期画面情報に記述されている場合に、Ｓ２６７で表示部５５に表示される設定画面ＷＮ２の構成を示した説明図である。
【００６７】
その他、基本設定情報ＤＡＴ１に割り当てられたグループＩＤが初期画面情報に記述されている場合には、ステーションＩＤの入力フォーム等、基本設定項目が配列された設定ダイアログＤＬ４を、ダイアログ表示欄Ｒ２に表示して、設定画面ＷＮ２を完成させる（Ｓ２６７）。図８（ｂ）は、基本設定情報ＤＡＴ１に割り当てられたグループＩＤが初期画面情報に記述されている場合に、Ｓ２６７で表示部５５に表示される設定画面ＷＮ２の構成を示した説明図である。
【００６８】
このようにしてＳ２６５又はＳ２６７での処理を終えると、ＣＰＵ４１は、画面制御処理を実行する（Ｓ２７０）。ここでは、操作部５３を通じて入力された操作情報に従い、リスト表示欄Ｒ１における表示の切替、ダイアログ表示欄Ｒ２に表示する設定ダイアログの切替、操作情報に基づく設定ダイアログ内の表示情報の切替・更新処理等を実行する。
【００６９】
その後、ＣＰＵ４１は、操作部５３から、複合機登録情報ＤＤの更新指令が入力されたか否か判断し（Ｓ２８０）、入力されていないと判断すると（Ｓ２８０でＮｏ）、Ｓ２８３で、当該リモートセットアップ処理の終了指令が操作部５３を通じて入力されたか否か判断し、終了指令が入力されていないと判断すると（Ｓ２８３でＮｏ）、処理をＳ２７０に戻して、更新指令又は終了指令が入力されるまで上記画面制御処理を繰返す。
【００７０】
一方、Ｓ２８０において複合機登録情報ＤＤの更新指令が入力されたと判断すると（Ｓ２８０でＹｅｓ）、ＣＰＵ４１は、更新指示信号と共に、設定ダイアログの操作履歴を反映させた新しい複合機登録情報ＤＤを、複合機１０に送信して（Ｓ２８７）、複合機１０に、その新しい複合機登録情報ＤＤを、旧複合機登録情報ＤＤに代えて、ＥＥＰＲＯＭ１７に記憶させる。その後、ＣＰＵ４１は、処理をＳ２７０に移行する。
【００７１】
また、ＣＰＵ４１は、Ｓ２８３において、当該リモートセットアップ処理の終了指令が操作部５３を通じて入力されたと判断すると（Ｓ２８３でＹｅｓ）、通信終了の通知信号を複合機１０に向けて送信し（Ｓ２９０）、当該リモートセットアップ処理を終了する。
【００７２】
一方、ＰＣ４０から送信されてくる信号に応じて、複合機登録情報ＤＤ等をＰＣ４０に提供する複合機１０は、ＣＰＵ１１にて図９に示す応答処理を実行することにより、複合機登録情報ＤＤ等をＰＣ４０に提供する。尚、図９は、複合機１０のＣＰＵ１１が実行する応答処理を表すフローチャートである。
【００７３】
応答処理を実行すると、ＣＰＵ１１は、ＰＣインタフェース２１を介してＰＣ４０から通信開始を指示する通信開始信号を受信したか否か判断し（Ｓ３１０）、通信開始信号を受信していないと判断すると（Ｓ３１０でＮｏ）、通信開始信号を受信するまで待機する。そして、通信開始信号を受信したと判断すると（Ｓ３１０でＹｅｓ）、ＰＣ４０側のリモートセットアッププログラムＰｒ２との通信を確立する（Ｓ３２０）。
【００７４】
その後、ＣＰＵ１１は、ＰＣ４０からモード情報を受信したか否か判断し（Ｓ３３０）、所定期間内にモード情報を受信すると、Ｓ３３０でＹｅｓと判断して、Ｓ３４０に処理を移し、モード情報に記述された設定ＩＤを判別する。Ｓ３４０で、設定ＩＤが短縮ダイヤル設定ＩＤであると判別すると、ＣＰＵ１１は、短縮ダイヤル設定ダイアログＤＬ２を設定画面ＷＮ２のダイアログ表示欄Ｒ２に初期画面として表示させるために、短縮ダイヤル設定情報ＤＡＴ４に対応するグループＩＤを記述した初期画面情報を生成して、これを複合機１０に送信する（Ｓ３４３）。
【００７５】
一方、Ｓ３４０で、設定ＩＤがＬＡＮ設定ＩＤであると判別すると、ＣＰＵ１１は、ＬＡＮ設定ダイアログＤＬ３を設定画面ＷＮ２のダイアログ表示欄Ｒ２に初期画面として表示させるために、ＬＡＮ設定情報ＤＡＴ２に対応するグループＩＤを記述した初期画面情報を生成して、これを複合機１０に送信する（Ｓ３４７）。
【００７６】
その他、Ｓ３３０において、ＰＣ４０からモード情報を所定期間内に受信できなかったと判断すると、ＣＰＵ１１は、Ｓ３５０に処理を移し、ステーションＩＤが既に登録済であるか否か判断する。ここでは、具体的に、ＥＥＰＲＯＭ１７に記憶されている複合機登録情報ＤＤにおけるステーションＩＤについてのパラメータが、空情報であるか否か判断することにより、ステーションＩＤが当該複合機１０に登録されているか否か判断する。
【００７７】
そして、ステーションＩＤが登録されていると判断すると（Ｓ３５０でＹｅｓ）、Ｓ３５３に移行して、設定画面ＷＮ２のダイアログ表示欄Ｒ２の初期画面としてデフォルト画面ＤＦを指定するＩＤを記述した初期画面情報を生成し、これを、複合機１０に送信する。一方、ステーションＩＤが未登録であると判断すると（Ｓ３５０でＮｏ）、Ｓ３５７に移行し、基本設定ダイアログＤＬ４を、設定画面ＷＮ２のダイアログ表示欄Ｒ２に初期画面として表示させるために、基本設定情報ＤＡＴ１に対応するグループＩＤを記述した初期画面情報を生成して、これを複合機１０に送信する（Ｓ３５７）。
【００７８】
このようにして、Ｓ３４３，Ｓ３４７，Ｓ３５３，Ｓ３５７のいずれかのステップでの処理を終えると、ＣＰＵ１１は、ＥＥＰＲＯＭ１７に格納されている複合機登録情報ＤＤをＰＣ４０に向けて送信する（Ｓ３６０）。その後、ＣＰＵ１１は、複合機登録情報ＤＤの更新指示信号が、複合機１０から入力されたか否か判断し（Ｓ３７０）、更新指示信号が入力されたと判断すると（Ｓ３７０でＹｅｓ）、それと共に複合機１０から送信されてくる新しい複合機登録情報ＤＤを受信し、その新しい複合機登録情報ＤＤを、ＥＥＰＲＯＭ１７に記憶された旧複合機登録情報ＤＤに上書きして、複合機登録情報ＤＤを更新する（Ｓ３８０）。その後ＣＰＵ１１は、ステップをＳ３７０に移行する。
【００７９】
一方、ＣＰＵ１１は、複合機登録情報ＤＤの更新指示信号が複合機１０から入力されていないと判断すると（Ｓ３７０でＮｏ）、通信終了の通知信号が複合機１０から入力されたか否か判断し（Ｓ３９０）、通信終了の通知信号が複合機１０から入力されていないと判断すると（Ｓ３９０でＮｏ）、処理をＳ３７０に戻し、通信終了の通知信号が複合機１０から入力されていると判断すると（Ｓ３９０でＹｅｓ）、当該応答処理を終了する。
【００８０】
以上、本実施例の機器設定システム１について説明したが、この機器設定システム１によれば、ＰＣ４０のＣＰＵ４１が、専用アプリケーションＰｒ１により実現される遠隔操作処理にて、リモートセットアッププログラムＰｒ２の動作モードを利用者が選択可能な操作メニューＷＮ１を表示部５５に表示させる（Ｓ１１０）。また、操作メニューＷＮ１を通じ、一の動作モードが選択されると、リモートセットアッププログラムＰｒ２を起動させると共に、その起動時に、選択された動作モードの指定情報としての設定ＩＤをリモートセットアッププログラムＰｒ２に入力する（Ｓ１４５，Ｓ１６５）。
【００８１】
操作メニューＷＮ１には、リモートセットアッププログラムＰｒ２の各動作モードに対応するシンボルＳＢ１〜ＳＢ３が配置されたダイアログＤＬ１が表示される。このダイアログＤＬ１を通じて一のシンボルが選択されると、ＣＰＵ４１は、選択されたシンボルに対応する設定ＩＤをリモートセットアッププログラムＰｒ２に入力し、リモートセットアッププログラムＰｒ２を起動する。
【００８２】
一方、リモートセットアッププログラムＰｒ２は、Ｓ２４０以降の処理の実行前に、それらの処理が実行されることを示す通信の開始指示を複合機１０に入力する（Ｓ２１０）。また、起動の契機となった外因の種類を、設定ＩＤの入力有無及び入力された設定ＩＤの種類に基づいて判別し（Ｓ２２０，Ｓ２３０）、その判別結果に基づき、外因の種類に対応した動作モードを選択し、その動作モードに対応する後続の処理を実行する。
【００８３】
具体的に、ＣＰＵ４１は、リモートセットアッププログラムＰｒ２を起動すると、設定ＩＤの入力の有無を判断し（Ｓ２２０）、設定ＩＤが入力されている場合には（Ｓ２２０でＹｅｓ）、その設定ＩＤが示す動作モードで後続の処理を実行し、設定ＩＤ入力が無い場合には（Ｓ２２０でＮｏ）、予め定められたデフォルトの動作モード（第一の動作モード）で後続の処理を実行する。
【００８４】
即ち、ＣＰＵ４１は、デスクトップを介した指令入力に基づいてリモートセットアッププログラムＰｒ２を起動するか、操作メニューＷＮ１を介したシンボルＳＢ１の選択指示に基づいてリモートセットアッププログラムＰｒ２を起動した場合に、第一の動作モードを選択する。また、操作メニューＷＮ１を介したシンボルＳＢ２の選択指示に基づいてリモートセットアッププログラムＰｒ２を起動した場合に、第二の動作モードを選択し、操作メニューＷＮ１を介したシンボルＳＢ３の選択指示に基づいてリモートセットアッププログラムＰｒ２を起動した場合に、第三の動作モードを選択する。
【００８５】
そして、第一の動作モードでは、モード情報を複合機１０に送信することなく、Ｓ２４０以降の処理を実行し、ダイアログ表示欄Ｒ２にデフォルト画面ＤＦを形成したデフォルトの設定画面ＷＮ２を表示部５５に表示させる（Ｓ２６５）。また、第二の動作モードでは、短縮ダイヤル設定ＩＤを格納したモード情報をＳ２３３にて複合機１０に送信した後、Ｓ２４０以降の処理を実行することにより、デフォルト画面ＤＦに代えて、ダイアログ表示欄Ｒ２に短縮ダイヤル（電話帳）設定に用いられる短縮ダイヤル設定ダイアログＤＬ２を形成した設定画面ＷＮ２を表示部５５に表示させる（Ｓ２６７）。
【００８６】
その他、第三の動作モードでは、ＬＡＮ設定ＩＤを格納したモード情報をＳ２３７で複合機１０に送信した後、Ｓ２４０以降の処理を実行することにより、ダイアログ表示欄Ｒ２にＬＡＮ設定ダイアログＤＬ３を形成した設定画面ＷＮ２を表示部５５に表示させる（Ｓ２６７）。これによって複合機１０の設定に用いられる設定画面ＷＮ２には、動作モードに応じて、異なる形態で初期画面が表示される（Ｓ２６５，Ｓ２６７）。
【００８７】
従って、この機器設定システム１によれば、利用者は、操作メニューＷＮ１を通じ、シンボルＳＢ１〜ＳＢ３を選択する程度で、設定画面ＷＮ２の表示形態（ダイアログ表示欄Ｒ２に初期表示されるダイアログの種類）を変更することができ、少ない操作回数で、簡単に目的とする画面（ダイアログ）を呼び出すことができる。特に、本実施例では、使用頻度の高い短縮ダイヤル（電話帳）機能設定用の短縮ダイヤル設定ダイアログを少ない操作回数で簡単に呼び出せるようにしたので、複合機１０の設定に係る操作性が格段に向上する。
【００８８】
また、本実施例によれば、ＰＣ４０がモード情報を複合機１０に送信することで動作モードに対応する初期画面を表示するための初期画面情報を取得するので、初期画面に関する情報を複合機１０側が管理している場合でも、動作モードに応じた形態の設定画面（ダイアログ）を表示部５５に表示させることができる。その他、本実施例によれば、デフォルトの動作モード以外の動作モードでリモートセットアッププログラムＰｒ２を作動した場合にのみ、モード情報を複合機１０に送信するので（Ｓ２２０〜Ｓ２４０）、ＰＣ４０−複合機１０間の通信量を抑えることができる。
【００８９】
また、本実施例によれば、複合機１０が、Ｓ３３０にてモード情報が入力されなかったと判断された場合にのみ、当該機器のファクシミリ送信時には設定されていることが必須の項目であるステーションＩＤの設定項目が未設定であるか否か判断し（Ｓ３５０）、未設定である場合には、初期画面にデフォルト画面ＤＦを指定する代わりに、未設定項目情報としての基本設定ダイアログＤＬ４を初期画面に指定した初期画面情報を、ＰＣ４０に送信して、ＰＣ４０に、デフォルト画面ＤＦに代えて、ステーションＩＤ設定用のダイアログである基本設定ダイアログＤＬ４を、ダイアログ表示欄Ｒ２に表示させる。
【００９０】
このように、本実施例の機器設定システム１では、デフォルトの動作モードでリモートセットアッププログラムＰｒ２が起動した場合、優先的に、基本設定ダイアログＤＬ４を表示するので、利用者は、簡単に当該機器に関する基本設定を行うことができ、簡単な操作で、複合機１０のファクシミリ送信機能を利用することができる。
【００９１】
尚、本発明の表示制御手段は、ＣＰＵ４１が実行するリモートセットアップ処理のＳ２３３以降の処理にて実現され、モード選択手段は、リモートセットアップ処理のＳ２１０〜Ｓ２３０にて実現されている。また、モード選択手段が有する判断手段は、リモートセットアップ処理のＳ２２０にて実現され、指定手段は、ＣＰＵ４１が実行する遠隔操作処理にて実現されている。また、本発明の選択画面は、操作メニューＷＮ１に相当する。
【００９２】
その他、本発明の電子機器が情報処理装置に向けて送信する所定の動作モードで表示制御手段が動作するのに必要な当該機器の情報とは、本実施例において複合機１０がＰＣ４０に送信する初期画面情報及び複合機登録情報ＤＤに相当する。また、モード選択手段が行う表示制御手段の作動通知は、ＣＰＵ４１が実行するＳ２１０にて実現されている。また、電子機器が備える入力判断手段は、複合機１０のＣＰＵ１１が実行する応答処理のＳ３３０にて実現されており、設定判別手段は、応答処理のＳ３５０にて実現されている。
【００９３】
以上、本発明の実施例について説明したが、本発明の情報処理装置及び機器設定システム並びにプログラムは、上記実施例に限定されるものではなく、種々の態様を採ることができる。
【００９４】
上記実施例においては、ダイアログのリストをツリー表示するリスト表示欄Ｒ１とダイアログ表示欄Ｒ２とからなる設定画面ＷＮ２を用いる機器設定システム１において、外因の種類に応じ、ダイアログ表示欄Ｒ２の初期画面を切り替える例を説明したが、例えば、設定画面ＷＮ２をタブ構成として、外因により初期表示するタブシートを切り替えるように機器設定システム１を構成してもよい。
【図面の簡単な説明】
【００９５】
【図１】本発明が適用された機器設定システム１の構成を表す説明図である。
【図２】ＥＥＰＲＯＭ１７に記憶された各設定情報ＤＡＴ１〜ＤＡＴ４の構成を表す説明図である。
【図３】専用アプリケーションＰｒ１及びリモートセットアッププログラムＰｒ２の起動方法に関する説明図である。
【図４】ＣＰＵ４１が実行する遠隔操作処理を表すフローチャートである。
【図５】操作メニューＷＮ１の構成を表す説明図である。
【図６】ＣＰＵ４１が実行するリモートセットアップ処理を表すフローチャートである。
【図７】デフォルトの設定画面ＷＮ２の構成（ａ）及び短縮ダイヤル設定ダイアログＤＬ２を初期画面とした設定画面ＷＮ２の構成（ｂ）を表す説明図である。
【図８】ＬＡＮ設定ダイアログＤＬ３を初期画面とした設定画面ＷＮ２の構成（ａ）及び基本設定ダイアログＤＬ４を初期画面とした設定画面ＷＮ２の構成（ｂ）を表す説明図である。
【図９】複合機１０のＣＰＵ１１が実行する応答処理を表すフローチャートである。
【符号の説明】
【００９６】
１…機器設定システム、１０…複合機、１１，４１…ＣＰＵ、１３，４３…ＲＯＭ、１５，４５…ＲＡＭ、１７…ＥＥＰＲＯＭ、１９…操作パネル、２１…ＰＣインタフェース、２３…スキャナ部、２５…記録部、２７…モデム、２９…ネットワークコントロールユニット、３１…ハンドセット、３３…ＬＡＮインタフェース、４０…ＰＣ、４７…ハードディスクドライブ、４９…ＣＤＲＯＭドライブ、５１…インタフェース、５３…操作部、５５…表示部、ＤＡＴ１〜ＤＡＴ４…設定情報、ＤＤ…複合機登録情報、ＤＦ…デフォルト画面、ＤＬ１〜ＤＬ４…ダイアログ、Ｐｒ１…専用アプリケーション、Ｐｒ２…リモートセットアッププログラム、Ｒ１…リスト表示欄、Ｒ２…ダイアログ表示欄、ＳＢ１〜ＳＢ３…シンボル、ＴＢ１〜ＴＢ４…タブ、ＷＮ１…操作メニュー、ＷＮ２…設定画面
【図１】
2005295128.tif 000003
【図２】
2005295128.tif 000004
【図３】
2005295128.tif 000005
【図４】
2005295128.tif 000006
【図５】
2005295128.tif 000007
【図６】
2005295128.tif 000008
【図９】
2005295128.tif 000009
【図７】
2005295128.tif 000010
【図８】
2005295128.tif 000011